(57)【要約】      （修正有）【課題】スコアカードや手帳等を収納するホルダにおいて、意匠性が高く、また、ポケット内部に収納された場合であっても、その取り出しが容易な製品ホルダを提供する。【解決手段】製品ホルダ１００は、二つ折りで折り畳まれた状態で、折れやすい製品を保持する板状のホルダ本体１と、ホルダ本体１の製品を保持しない側の面に配設され、ポケットに係止するための挟み込み部材２を備える。ホルダ本体１は、略同形同大で、その外周辺を重ねて縫合された外側表皮材及び内側表皮材を有し、略中央部に備えられた折り線によって折り畳まれる。挟み込み部材２は、ホルダ本体１から突出した可撓性の装飾部材３と、装飾部材３とホルダ本体１とを当接させて係止する係止部材４を有し、装飾部材３とホルダ本体１との間にポケットを挟み込むことを特徴とする。【選択図】図１６
0003153955.tif 000002
【実用新案登録請求の範囲】
【請求項１】
二つ折りで折り畳まれた状態で、折れやすい製品を保持する板状のホルダ本体と、
該ホルダ本体の前記製品を保持しない側の面に配設され、ポケットに係止するための挟み込み部材と、
を備えた製品ホルダであって、
前記ホルダ本体は、略同形同大の外側表皮材及び内側表皮材を有し、
前記外側表皮材及び前記内側表皮材はその外周辺を重ねて縫合されており、略中央部に備えられた折り線によって折り畳まれ、
前記挟み込み部材は、前記ホルダ本体から突出した可撓性の装飾部材と、該装飾部材と前記ホルダ本体とを当接させて係止する係止部材と、を有し、
前記装飾部材と前記ホルダ本体との間に前記ポケットを挟み込むことを特徴とする製品ホルダ。
【請求項２】
前記ホルダ本体において、
前記内側表皮材の端部に形成され、前記製品の端部を差し込むスリットからなる製品保持機能部と、
内部が中空の略筒状に形成される筆記具保持機能部と、
前記内側表皮材の前記折り線と重ならない位置において、窓部を有し、該窓部を臨む位置に配設される鏡機能部と、
前記外側表皮材と前記内側表皮材を貫通する貫通孔からなる連結機能部と、
のうち、少なくとも一つ以上の機能部をさらに備えることを特徴とする請求項１に記載の製品ホルダ。
【請求項３】
前記製品が、ゴルフ用スコアカードであることを特徴とする請求項１又は２に記載の製品ホルダ。
【請求項４】
前記製品が、紙の積層体、ＩＣカードを含むカード、携帯電話、化粧品のいずれか一つであることを特徴とする請求項１又は２に記載の製品ホルダ。
【考案の詳細な説明】
【技術分野】
【０００１】
本考案は、製品ホルダに係り、特に、スコアカード等の記入用紙や本、手帳等の折れやすい製品を携帯する時の利便性を備え、さらに意匠的に好適な製品ホルダに関する。
【背景技術】
【０００２】
スコアカード等の記入用紙や本、手帳等、携帯する頻度が高く、且つ折れ曲がり易い製品は、そのままの状態で衣服や鞄等のポケットに収納すると、その製品の端部が折れて皺ができたり、破れたりすることが多い。したがって、これら製品の外側を覆い、その内部に製品を保持するように構成されたホルダ（カバー）が使用されている。
【０００３】
例えば、このような製品の一例として、ゴルフ用スコアカードがある。ゴルフ、グラウンドゴルフ、パークゴルフ等において、プレイヤーはスコアを記入するためのスコアカードを携帯するのが一般的である。そして、ラウンド中、プレイヤーはスコアカードを衣服のポケットに入れて所持することが望ましい。
【０００４】
しかし、紙製であるスコアカードは、そのままの状態でポケットに入れる場合、折れて皺ができたり、破れたりすることが多かった。また雨天時は、スコアカードが水に濡れ、特に破れやすいという問題点があった。
【０００５】
したがって、連続板片を折り重ね、その間に二つ折りのスコアカードを挟んで携帯するスコアカードホルダが一般に用いられている。また、このスコアカードホルダは、主に連続板片の端部等の適当な位置に、スコアカードを保持するための止着部材が設けられているため、スコアカードが保持され、脱落することがない。このようなスコアカードホルダを使用すると、携帯時のスコアカードの折れ曲がりや破れを防止することができ、且つ、スコアカードホルダの適度な硬度により、スコアカードの記入を容易に行うことが可能となる。
【０００６】
しかし、ゴルフ場から貸与されるスコアカードホルダは、ロッカーキーが付属している場合や、スコアカードホルダ自体が大きい場合等、携帯性に劣るという問題点があった。
スコアカードホルダは上述のように、衣服のポケットに入れて携帯されることが多いため、例えばプレイヤーが激しい動きを行った際、スコアカードホルダがポケットから落下することがある。また、ポケットがスコアカードホルダと同等の大きさである場合、スコアカードホルダはポケットから落下しにくくなるが、スコアカードを記入するなど、ポケットから取り出す必要がある際、スコアカードホルダがポケット内部に引っ掛かり、取り出しにくいという問題点があった。
【０００７】
これに対し、特許文献１において、スコアカード収納袋にクリップ等の挟み込み部材を配設し、衣服や鞄等のポケットを挟み、ぶら下げるように構成されたスコアカード収納ケースが考案されている。
【先行技術文献】
【特許文献】
【０００８】
【特許文献１】実用新案登録第３０８０２４４号公報
【考案の概要】
【考案が解決しようとする課題】
【０００９】
特許文献１に開示されているようなスコアカード収納ケースは、スコアカード等の紙製品を収納するための保持袋と、ポケット布等を挟み込める挟み込み部材を有し、この挟み込み部材により、衣服等にスコアカード収納ケースが係止されるため、ポケット等からの落下を防止することが可能となる。
【００１０】
また、特許文献１に記載のスコアカード収納ケースは、備えられた挟み込み部材により、主として使用者のポケットを挟んで、スコアカード収納ケースを外にぶら下げるようにして使用されるため、ポケットからの取り出しが困難になるという問題がない。
【００１１】
しかしながら、特許文献１に記載のスコアカード収納ケースは、ポケット外部にぶら下げるようにして使用されるため、挟み込み部材が収納ケース本体から外れた場合、また、挟み込み部材が開いた場合では、スコアカード収納ケースを落としてしまうという問題点があった。さらに、ポケット外部にぶら下げて使用するため、外観が良くなく、特に女性や、ファッション性を重視する使用者にとって使用しにくいという問題点があった。
【００１２】
また、収納袋にスコアカードを収納する形状であるため、用紙を一回取り出した後、さらに開いてから記入する必要があり、用紙に記入する際、手間がかかるという問題点があった。
【００１３】
本考案の目的は、上述に例示したようなゴルフ用スコアカードや、その他の記入用紙、本等を含む一般的に折れやすい製品を携帯するために使用される製品ホルダにおいて、意匠的に好適な製品ホルダを提供することにある。また、本考案の他の目的は、ポケット内部に収納された場合であっても、その取り出しが容易な製品ホルダを提供することにある。
【課題を解決するための手段】
【００１４】
上記課題は、二つ折りで折り畳まれた状態で、折れやすい製品を保持する板状のホルダ本体と、該ホルダ本体の前記製品を保持しない側の面に配設され、ポケットに係止するための挟み込み部材と、を備えた製品ホルダであって、前記ホルダ本体は、略同形同大の外側表皮材及び内側表皮材を有し、前記外側表皮材及び前記内側表皮材はその外周辺を重ねて縫合されており、略中央部に備えられた折り線によって折り畳まれ、前記挟み込み部材は、前記ホルダ本体から突出した可撓性の装飾部材と、該装飾部材と前記ホルダ本体とを当接させて係止する係止部材と、を有し、前記装飾部材と前記ホルダ本体との間に前記ポケットを挟み込むこと、により解決される。
【００１５】
このように、上述の構成の製品ホルダは、ホルダ本体から突出した装飾部材を有し、この装飾部材とホルダ本体の間でポケット布等を挟み込む構成であるため、ポケット内にホルダ本体を収納した状態であっても、装飾部材の全体がポケット外部に保持される。この装飾部材は様々なデザインとすることができ、ホルダ本体をポケットに収容できると共に、外部に露見した装飾部がアクセサリーとして機能して、ファッション性の高い製品ホルダを提供することができる。
【００１６】
さらに、ポケット外に突出した装飾部材の上部を手で保持することにより、容易に持ち上げることができるため、ポケット内に収納した場合であっても、ポケットからの取り出しが容易となる。このとき、可撓性の装飾部材を用いてポケットを挟み込むため、取り出しを容易に行うことができる。
【００１７】
また、前記ホルダ本体において、前記内側表皮材の端部に形成され、前記製品の端部を差し込むスリットからなる製品保持機能部と、内部が中空の略筒状に形成される筆記具保持機能部と、前記内側表皮材の前記折り線と重ならない位置において、窓部を有し、該窓部を臨む位置に配設される鏡機能部と、前記外側表皮材と前記内側表皮材を貫通する貫通孔からなる連結機能部と、のうち、少なくとも一つ以上の機能部をさらに備えていると好適である。
【００１８】
このように、製品ホルダに機能部としてスリットを設けると、そのスリットに製品の端部を差し込むことにより、製品ホルダに製品を保持させることができる。この構成とすると、ホルダ本体を開くことにより、折り畳まれて内包されていた紙等の製品も開かれ、その状態のままで製品に文字等を記入することが可能である。
【００１９】
また、機能部として筆記具保持機能部を備えた構成であると、筆記具は固定して保持されているため、スコアカード等の紙製品に文字等を記入する際、筆記具を探す必要がなく、また筆記具の取り出しが容易となる。また、機能部として鏡を備えた構成であると、鏡又は鏡付き小物を別途携帯する必要がない。
【００２０】
さらに、機能部として貫通孔を配設し、例えばストラップなどを挿通させることができる構成とすることにより、装飾を行うことができる。また、ストラップ等を備えると、製品ホルダの携帯時、ストラップを保持することができるため、携帯性が向上する。
【００２１】
このとき、前記製品が、ゴルフ用スコアカードであると好ましい。
また、前記製品が、紙の積層体、ＩＣカードを含むカード、携帯電話、化粧品のいずれか一つであってもよい。
【００２２】
このように、製品ホルダに内包される製品として、スコアカード等の記入用紙、本等の紙の積層体、ＩＣカードを含むカード、携帯電話、化粧品が挙げられる。
【考案の効果】
【００２３】
本考案の請求項１の製品ホルダによれば、意匠的に好適であり、且つポケット内部に収納された場合であっても取り出しが容易な製品ホルダを提供することができる。特に、ファッション性を重視する使用者にとって、製品ホルダに備えられた装飾部材はアクセサリー感覚で使用できるため、製品ホルダの携帯意欲を促進することができる。
また請求項２の考案によれば、機能部としてスリットを備えた構成とすると、製品端部を差し込むことにより、確実に製品を保持することができる。機能部として筆記具保持機能部を備えた構成とすると、スコアカード等の記入用紙を保持して使用する場合、記入時に筆記具を探す必要がなく、筆記具を確実に取り出すことが可能となる。また、機能部として鏡を備えると、製品ホルダと手鏡の要素を同時に備えることができる。さらに、機能部として貫通孔を設けると、適当な太さの紐を挿通させることが可能となるため、装飾を容易に行うことができるほか、紐等の挿通された部材を保持することができるため、携帯性が向上する。
請求項３の考案によれば、製品として、ゴルフ用スコアカードをカバーして保持することが可能となる。
また請求項４の考案によれば、製品として、本を含む紙の積層体、ＩＣカードを含むカード、携帯電話、化粧品をカバーして保持することが可能となる。
【図面の簡単な説明】
【００２４】
【図１】本考案の実施形態に係る製品ホルダの正面図である。
【図２】本考案の実施形態に係る製品ホルダの背面図である。
【図３】本考案の実施形態に係る製品ホルダの右側側面図である。
【図４】本考案の実施形態に係る製品ホルダの左側側面図である。
【図５】本考案の実施形態に係る製品ホルダの平面図である。
【図６】本考案の実施形態に係る製品ホルダの底面図である。
【図７】本考案の実施形態に係る製品ホルダを折り畳んだ時の正面図である。
【図８】本考案の実施形態に係る製品ホルダを折り畳んだ時の背面図である。
【図９】本考案の実施形態に係る製品ホルダを折り畳んだ時の右側側面図である。
【図１０】本考案の実施形態に係る製品ホルダを折り畳んだ時の左側側面図である。
【図１１】本考案の実施形態に係る製品ホルダを折り畳んだ時の平面図である。
【図１２】本考案の実施形態に係る製品ホルダを折り畳んだ時の底面図である。
【図１３】本考案の実施形態に係る製品ホルダの使用形態の概略説明図である。
【図１４】本考案の実施形態に係る製品ホルダの使用形態の概略説明図である。
【図１５】本考案の実施形態に係る製品ホルダの使用形態の概略説明図である。
【図１６】本考案の実施形態に係る製品ホルダの斜視図である。
【考案を実施するための形態】
【００２５】
以下に、本考案の製品ホルダについて説明する。なお、以下に説明する部材やその構成等は、本考案を限定するものではなく、本考案の趣旨に沿って各種改変することができることは勿論である。
【００２６】
はじめに、図１〜図６、図１３に基づき、本考案の実施形態の製品ホルダ１００を展開した時の構成について説明する。図１〜図６は本考案の実施形態に係り、展開した時の製品ホルダ１００について説明する図であり、図１は製品ホルダ１００の正面図、図２は製品ホルダ１００の背面図、図３は製品ホルダ１００の右側側面図、図４は製品ホルダ１００の左側側面図、図５は製品ホルダ１００の平面図、図６は製品ホルダ１００の底面図である。図１３は本考案の製品ホルダ１００にゴルフ用スコアカード２００を挟み込んだ状態を説明する概略説明図である。
【００２７】
図１に示すように、本考案の実施形態１の製品ホルダ１００は、ホルダ本体１と、衣服又は鞄のポケットに係止するための挟み込み部材２と、を備えている。挟み込み部材２は、ホルダ本体１の外側、すなわち製品が内包されない側に装飾部材３が配設されるように構成されている（図２）。
【００２８】
図３〜図６に示すように、ホルダ本体１は、ほぼ同じ形、同じ大きさの、外側表皮材１ａ及び内側表皮材１ｂを重ねて縫合されることにより形成されている。また、図２のように、外側表皮材１ａ及び内側表皮材１ｂはその周縁部を縫合されており、縫合部９ａ、９ｂ、９ｃ、９ｄを備えている。この縫合部９ａ、９ｂ、９ｃ、９ｄは連続して縫合されても良いし、断続的に縫合されていても良い。
【００２９】
外側表皮材１ａ、内側表皮材１ｂの材料としては可撓性材料が用いられ、天然皮、人工皮、樹脂シート等を用いることができる。樹脂シートの材料としては、低密度ポリエチレン（ＬＤＰＥ）や高密度ポリエチレン（ＨＤＰＥ）などのポリエチレン（ＰＥ）、ポリプロピレン（ＰＰ）、ポリエステル（ＰＥＴＰ）、ポリウレタン（ＰＵ）、ポリカーボネート（ＰＣ）、エチルビニル酢酸エステル（ＥＶＡ）、ポリ塩化ビニル（ＰＶＣ）などが挙げられる。
【００３０】
ホルダ本体１は、その略中央部に備えられた折り線１０により二つ折りで重なるように折り畳まれるため、外側表皮材１ａ及び内側表皮材１ｂの形状は、横辺（すなわち、縫合部９ｂ、９ｄが備えられている辺）が長く設計された長方形とするのが好ましい。また、外側表皮材１ａ及び内側表皮材１ｂは、折り線１０を介して連続した部材であっても良いし、折り線１０でそれぞれ切断され、分割された部材によって構成されても良い。ただし、切断された部材によって構成される場合は、折り線１０が設けられた部分で、それぞれが接合されている必要がある。
【００３１】
ホルダ本体１は、内側表皮材１ｂの端部に、ホルダ本体１の各辺に対して斜めに交わる位置に略線状に形成された、製品保持機能部としてのスリット５を複数有している。このスリット５に、製品２００の端部をそれぞれ差し込み、内側表皮材１ｂと外側表皮材１ａの間に挟むことにより、製品２００が製品ホルダ１００に保持される（図１３参照）。なお、このスリット５は、ホルダ本体１の端部だけでなく、図２のように、折り線１０の近傍に配設されていてもよい。
【００３２】
さらに、ホルダ本体１は、内側表皮材１ｂの端部において、内部が中空の筒状となるように、長方形片の両端を重ねて縫合されることにより係止された筆記具保持機能部８を備えている。筆記具保持機能部８は、その内部が略円柱状であるため、適当な太さの筆記具を挿通させることにより、筆記具を保持することができる。したがって、筆記具保持機能部８を形成する長方形片もまた、可撓性の材料により形成され、特に、外側表皮材１ａ及び内側表皮材１ｂと同じ材料により形成されると好ましい。
【００３３】
また、ホルダ本体１の内側表皮材１ｂは、その一部分がくり抜かれて形成された窓部１１を備えている。窓部１１は、折り線１０と重ならない位置及び大きさで形成され、常に平面を保つことが可能である。したがってこの窓部１１を臨む位置に、鏡機能部である鏡７を配設することができる。この鏡７は、窓部１１よりもわずかに大きく形成されており、内側表皮材１ｂと外側表皮材１ａとの間に狭持され、さらに縫合部９ｅによってその周囲が縫合されることにより、ホルダ本体１に保持される。また、製品ホルダ１００を携帯する際の安全性を考慮し、鏡７は割れにくい素材で構成されている。
【００３４】
さらにまた、外側表皮材１ａと内側表皮材１ｂを貫通する連結機能部としての貫通孔６が配設されていてもよい。貫通孔６の配設位置はホルダ本体１上であればどの部分でも問題はないが、折り線１０の近傍であると好ましい。また、この貫通孔６はハトメを用いて形成されていると好ましい。貫通孔６の内部は適当な太さの紐が挿通可能な直径を有しており、例えばストラップなどの紐を挿通させて結ぶことにより、装飾を施すことが可能である。
【００３５】
このように、ストラップを保持した構成とすることも可能であるため、本考案の製品ホルダ１００は、その装飾が容易になる。また、ストラップを備えた場合、ゴルフ用スコアケースホルダ１００を携帯する時、ストラップを保持しやすくなるため、その装飾性だけでなく、携帯性も向上する。
【００３６】
次に、図７〜図１２、図１４に基づき、本考案の製品ホルダ１００を折り畳んだ時の構成について説明する。図７〜図１２は本考案の製品ホルダ１００を折り畳んだ状態について説明する図であり、図７は製品ホルダ１００の正面図、図８は製品ホルダ１００の背面図、図９は製品ホルダ１００の右側側面図、図１０は製品ホルダ１００の左側側面図、図１１は製品ホルダ１００の平面図、図１２は製品ホルダ１００の底面図である。図１４は本考案の製品ホルダ１００を、折り畳んだ状態でポケットに収納した状態を説明する概略説明図である。
【００３７】
図７及び図１４に示すように、本考案の実施形態の製品ホルダ１００は、ホルダ本体１と、衣服又は鞄のポケット布３００に係止するための挟み込み部材２と、を備えている。挟み込み部材２は、ホルダ本体１の外側に装飾部材３が配設されるように構成されている。図１４のように、この挟み込み部材２は係止部材４と、装飾部材３とからなっており、衣服等のポケット布３００をホルダ本体１と、装飾部材３との間に挟み込んで係止することにより、ポケット布３００から製品ホルダ１００が落下するのを防ぐことができる。このとき、図１４のように係止部材４の取り付け位置までポケット布３００を差し込むと、より保持力が向上する。
【００３８】
挟み込み部材２は、少なくともホルダ本体１と重ならない位置、すなわちホルダ本体１から突出するように配設された装飾部材３と、装飾部材３をホルダ本体１に係止するための係止部材４を備えている。装飾部材３は後述の説明のように、可撓性の材料により形成される。また、係止部材４はカシメ等を用い、装飾部材３の略中央部が、ホルダ本体１と当接して係止される。このとき、装飾部材３の上方はホルダ本体１から突出しており、下方はホルダ本体１に係止されない状態で重なっている。
【００３９】
図１４のように、本考案の製品ホルダ１００は、折り畳まれた状態でポケットに収納され、挟み込み部材２でポケット布３００を挟み込む。このとき、可撓性の装飾部材３の下部をホルダ本体１と反対方向に持ち上げて、装飾部材３を撓ませた状態でポケット内にホルダ本体を収納し、その後、装飾部材３を解放することにより、装飾部材３が平面状に戻り、挟み込み部材２はポケット布３００を挟み込むことができる。
【００４０】
したがって、本考案の製品ホルダ１００は、ポケットから脱落することがない。さらに、挟み込み部材２を上述の構成とすることにより、ポケット外部からは装飾部材３の全体が視認可能となり、ファッション性の高い製品ホルダ１００を提供することができる。本明細書中の説明図においては、蝶のモチーフが例示されているが、上述のように適当な配置、大きさで且つ可撓性の材料で構成されていれば、どのようなデザインを用いていてもよい。
【００４１】
また、上述の構成により、装飾部材３がポケット外に突出するため、装飾部材３の上部を保持して引き上げることにより、ポケット内部にホルダ本体１が収納された時であっても取り出しやすく、利便性の良い製品ホルダを提供することができる。
【００４２】
さらに、挟み込み部材２はクリップ等により構成されるものではなく、可撓性の装飾部材３及び係止部材４により構成されている。ホルダ本体１をポケットに収納する時又は取り出す時において、クリップを用いた場合、押圧してクリップ部分を開く操作が必要となるが、上述の構成とすることにより、押圧する操作が必要なく、簡単に収納、取り出しを行うことができる。
【００４３】
さらにまた、筆記具保持機能部８に関し、図１１、図１２のように、製品ホルダ１００が折り畳まれた時、筆記具保持機能部８はホルダ本体１の内側に収まるように配設されると、筆記具保持機能部８が周囲に引っ掛かることがないため、好ましい。この構成とすることにより、ポケット内部に収納された場合、ポケット内部に筆記具保持機能部８が引っ掛かることがないため、製品ホルダ１００を容易に取り出すことが可能となる。
【００４４】
本考案の製品ホルダ１００の内部に保持する製品２００として、図１３ではゴルフ用スコアカードを例に挙げて説明したが、本考案の製品ホルダ１００において、内部に保持される製品２００はこれに限定されない。
図１５、図１６に基づき、本考案の実施形態の製品ホルダ１００のその他の使用例を説明する。
図１５は本考案の製品ホルダ１００に本４００を挟み込んだ状態を説明する概略説明図、図１６は本考案の実施形態に係る製品ホルダ１００の斜視図である。図１５のように、例えば紙の積層体としての本４００の表紙をスリット５に挿入して保持することも可能である。本実施形態において、製品ホルダ１００に内包されるものの例として紙製品を挙げたが、その他、保持可能なものの例として手帳、ＩＣカード等のカード類、携帯電話、化粧品類等が挙げられる。特に薄型の携帯電話や、薄型の化粧品類のケースなど、小物入れとしても好適に用いることが可能である。また、図１６のように広げた状態の製品ホルダ１００は、製品２００や本４００を保持していない時、鏡７を備えた構成とすると、手鏡としての機能も備えることができる。
【符号の説明】
【００４５】
１  ホルダ本体
１ａ  外側表皮材
１ｂ  内側表皮材
２  挟み込み部材
３  装飾部材
４  係止部材
５  スリット
６  貫通孔
７  鏡
８  筆記具保持機能部
９ａ、９ｂ、９ｃ、９ｄ、９ｅ  縫合部
１０  折り線
１１  窓部
１００  製品ホルダ
２００  製品
３００  ポケット布
４００  本
【図１】
0003153955.tif 000003
【図２】
0003153955.tif 000004
【図３】
0003153955.tif 000005
【図４】
0003153955.tif 000006
【図５】
0003153955.tif 000007
【図６】
0003153955.tif 000008
【図７】
0003153955.tif 000009
【図８】
0003153955.tif 000010
【図９】
0003153955.tif 000011
【図１０】
0003153955.tif 000012
【図１１】
0003153955.tif 000013
【図１２】
0003153955.tif 000014
【図１３】
0003153955.tif 000015
【図１４】
0003153955.tif 000016
【図１５】
0003153955.tif 000017
【図１６】
0003153955.tif 000018